(57)【特許請求の範囲】
【請求項１】
閉鎖方向端部をスライドさせて閉鎖動作する開閉体と、該開閉体を巻き取ったり繰出したりする巻取軸と、該巻取軸を駆動回転したり制動したりする開閉機と、前記開閉体の閉鎖方向端部が全閉手前の所定範囲内にあることを感知する全閉手前位置感知部と、前記開閉体の閉鎖方向端部が閉鎖方向側の物体に当接したことを感知する座板感知部と、前記開閉体を制御動作する制御部とを備えた開閉装置において、
前記制御部は、前記開閉体の閉鎖動作中に前記全閉手前位置感知部による感知信号の入力があることを条件に、閉動作カウント手段による所定時間のカウントを開始し、その後、前記座板感知部による感知信号があり且つ前記閉動作カウント手段がカウントアップしていない場合に、前記開閉体の閉鎖方向端部が障害物に当接したものとみなして第一の制御を行い、前記座板感知部による感知信号があり且つ前記閉動作カウント手段がカウントアップしている場合には、前記開閉体が略全閉したものとみなして前記第一の制御とは異なる第二の制御を行うようにし、
前記所定時間は、前記開閉体の閉鎖方向端部が前記所定範囲に進入してから全閉位置となるまでの閉鎖動作時間と略同等になるように設定され、
前記第二の制御としては、前記開閉機の閉鎖方向への動作を、所定の微小時間継続した後に停止し、
前記微小時間は、前記開閉体が閉鎖方向端部を当接対象部位に当接させて略全閉した後に、この開閉体の閉鎖方向端部と前記当接対象部位との間に略隙間がなくなるまで前記開閉体が前記当接対象部位に押圧されるように設定してあることを特徴とする開閉装置。
【請求項２】
閉鎖方向端部をスライドさせて閉鎖動作する開閉体と、該開閉体を巻き取ったり繰出したりする巻取軸と、該巻取軸を駆動回転したり制動したりする開閉機と、前記開閉体の閉鎖方向端部が全閉手前の所定範囲内にあることを感知する全閉手前位置感知部と、前記開閉体の閉鎖方向端部が閉鎖方向側の物体に当接したことを感知する座板感知部と、前記開閉体を制御動作する制御部とを備えた開閉装置において、
前記制御部は、前記開閉体の閉鎖動作中に前記全閉手前位置感知部による感知信号の入力があることを条件に、閉動作カウント手段による所定時間のカウントを開始し、その後、前記座板感知部による感知信号があり且つ前記閉動作カウント手段がカウントアップしていない場合に、前記開閉体の閉鎖方向端部が障害物に当接したものとみなして第一の制御を行い、前記座板感知部による感知信号がなく且つ前記閉動作カウント手段がカウントアップした場合には、前記開閉体が略全閉したものとみなして前記第一の制御とは異なる第二の制御を行うようにし、
前記所定時間は、前記開閉体の閉鎖方向端部が前記所定範囲に進入してから全閉位置となるまでの閉鎖動作時間と略同等になるように設定され、
前記第二の制御としては、前記開閉機の閉鎖方向への動作を、所定の微小時間継続した後に停止し、
前記微小時間は、前記開閉体が閉鎖方向端部を当接対象部位に当接させて略全閉した後に、この開閉体の閉鎖方向端部と前記当接対象部位との間に略隙間がなくなるまで前記開閉体が前記当接対象部位に押圧されるように設定してあることを特徴とする開閉装置。
【請求項３】
前記第一の制御として、前記開閉体の閉鎖動作を反転することを特徴とする請求項１又は２記載の開閉装置。
【請求項４】
前記微小時間は、前記開閉体が前記巻取軸に逆巻きされないように設定されていることを特徴とする請求項１乃至３何れか１項記載の開閉装置。
【発明の詳細な説明】
【技術分野】
【０００１】
本発明は、座板感知部により開閉体閉鎖方向側の物体を感知するようにした開閉装置に関し、特にシャッター装置として好適な開閉装置に関するものである。
【背景技術】
【０００２】
従来、この種の開閉装置は、開閉体の閉鎖方向端部に該開閉体よりも閉鎖方向側の物体を接触感知する座板感知部を設け、開閉体の閉鎖動作中に前記座板感知部が障害物等を接触感知した際に、開閉体を所定量だけ反転動作（以降、タッチアップ動作と称する）させるようにしている。
このような開閉装置では、例えば特許文献１に記載のもののように、開閉体が全閉した際の前記タッチアップ動作により開閉体と床面等との間に隙間が生じてしまうのを防ぐために、閉鎖動作中の開閉体の閉鎖方向端部が全閉手前の所定範囲に差し掛かったら、前記座板感知部を無効にするとともに、予め設定されたタイマー時間だけ閉鎖動作したところで全閉になったとみなして該閉鎖動作を停止するようにしている。
【０００３】
しかしながら、前記従来技術によれば、全閉手前の若干の範囲とはいえ、座板感知部を無効にしているため、この範囲では開閉体の閉鎖方向端部が障害物等に当接しても、開閉体の閉鎖動作が反転や停止等しないことになる。
【先行技術文献】
【特許文献】
【０００４】
【特許文献１】特開平１０−３０６６７２号公報
【発明の概要】
【発明が解決しようとする課題】
【０００５】
本発明は、このような問題に対処することを課題の一例とするものである。すなわち、全閉手前の所定範囲において、閉鎖動作中の開閉体が全閉した場合と障害物に当接した場合のそれぞれに応じて適切な制御を行うことができるようにすることが本発明の目的である。
【課題を解決するための手段】
【０００６】
このような目的を達成するために、本発明に係る技術的手段は、以下の構成を少なくとも具備するものである。
【０００７】
閉鎖方向端部をスライドさせて閉鎖動作する開閉体と、前記開閉体の閉鎖方向端部が全閉手前の所定範囲内にあることを感知する全閉手前位置感知部と、前記開閉体の閉鎖方向端部が閉鎖方向側の物体に当接したことを感知する座板感知部と、前記開閉体を制御動作する制御部とを備えた開閉装置において、前記制御部は、前記開閉体の閉鎖動作中に前記全閉手前位置感知部による感知信号の入力があることを条件に、閉動作カウント手段による所定時間又は所定距離のカウントを開始し、その後、前記座板感知部による感知信号があり且つ前記閉動作カウント手段がカウントアップしていない場合に、前記開閉体の閉鎖方向端部が障害物に当接したものとみなして第一の制御を行い、前記座板感知部による感知信号があり且つ前記閉動作カウント手段がカウントアップしている場合には、前記開閉体が略全閉したものとみなして前記第一の制御とは異なる第二の制御を行うことを特徴とする。
【０００８】
閉鎖方向端部をスライドさせて閉鎖動作する開閉体と、前記開閉体の閉鎖方向端部が全閉手前の所定範囲内にあることを感知する全閉手前位置感知部と、前記開閉体の閉鎖方向端部が閉鎖方向側の物体に当接したことを感知する座板感知部と、前記開閉体を制御動作する制御部とを備えた開閉装置において、前記制御部は、前記開閉体の閉鎖動作中に前記全閉手前位置感知部による感知信号の入力があることを条件に、閉動作カウント手段による所定時間又は所定距離のカウントを開始し、その後、前記座板感知部による感知信号があり且つ前記閉動作カウント手段がカウントアップしていない場合に、前記開閉体の閉鎖方向端部が障害物に当接したものとみなして第一の制御を行い、前記座板感知部による感知信号がなく且つ前記閉動作カウント手段がカウントアップした場合には、前記開閉体が略全閉したものとみなして前記第一の制御とは異なる第二の制御を行うことを特徴とする。
【発明の効果】
【０００９】
このような特徴を有することで本発明は以下の作用効果を奏する。
閉鎖動作中の開閉体の閉鎖方向端部が全閉手前の所定範囲内に進入した後、座板感知部の感知信号の有無、及び閉動作カウント手段がカウントアップしたか否かに基づき、開閉体が障害物に当接したのか、あるいは開閉体が全閉したのかを判別して、それぞれの場合に応じた適切な制御を行うことができる。
【図面の簡単な説明】
【００１０】
【図１】本発明に係る開閉装置の一例を示す正面図である。
【図２】制御部による制御動作の一例を示すフローチャートである。
【図３】制御部による制御動作の他例を示すフローチャートである。
【発明を実施するための形態】
【００１１】
本発明に係る開閉装置は、開閉体を巻取り軸に巻き取って収納するようにした形態（例えばシャッター装置等）に適用した場合に特に効果的であるが、開閉体を巻取り軸に巻取ることなく開放方向側に収納するようにした形態（例えばオーバーヘッドドア装置等）に適用することも可能である。
【００１２】
前記開閉体の形態として、例えば、シート状体、ネット状体、複数のスラットやパイプ、あるいはパネルを開閉方向へ連設してなる形態等、さらには、前述のシート状体、ネット状体、スラット、パイプ、パネルを適宜に組み合わせてなる形態等が挙げられる。
【００１３】
また、前記全閉手前位置感知部には、例えば、前記開閉体を閉鎖動作させる駆動源や開閉体を繰り出す巻取軸等の回転量から前記開閉体の閉鎖方向端部が全閉手前の所定範囲内にあることを検知するようにした構成や、ガイドレール等の不動部位に設けられて前記所定範囲内にある前記開閉体を接触式又は非接触式のセンサ（例えば、マイクロスイッチや近接スイッチ等）によって検知するようにした構成等を含む。
【００１４】
また、前記第一の制御の具体例としては、前記開閉体の閉鎖動作を停止することや、前記開閉体の閉鎖動作を反転し所定時間経過後に停止すること、警報を発すること（音や光の発信、信号発信等を含む）等が挙げられる。
【００１５】
また、前記第二の制御の具体例としては、前記開閉体の閉鎖動作を微小時間継続した後に停止することや、前記開閉体の閉鎖動作を直ちに停止すること等が挙げられる。
【００１６】
本発明に係る好ましい一形態では、前記第一の制御として、前記開閉体の閉鎖動作を反転する。
この形態によれば、開閉体が障害物に当接したものとみなされた場合には、該開閉体が反転動作するため、障害物に対する衝撃等を緩和することができる。
【００１７】
更なる形態では、前記第二の制御として、前記開閉体の閉鎖動作を微小時間又は微小距離継続した後に停止する。
この形態によれば、開閉体が全閉したものとみなされた場合には、該開閉体が床面等に対し押圧されてから停止するため、全閉状態において開閉体の閉鎖方向端部と床面等との間に隙間が生じるのを防ぐことができる。
【００１８】
更なる形態では、前記所定時間又は所定距離は、前記開閉体の閉鎖方向端部が前記所定範囲に進入してから全閉位置となるまでの閉鎖動作時間又は閉鎖動作距離と略同等になるように設定される。
この形態によれば、開閉体が床面等に当接して全閉したのか、あるいは障害物に当接したのかを、精度よく判別することができる。
【００１９】
本実施形態中において「開閉体厚さ方向」とは、閉鎖状態の開閉体の厚さ方向を意味する。また、「開閉体幅方向」とは、開閉体の開閉方向と直交する方向であって、開閉体の厚さ方向ではない方向を意味する。また、「開閉体開閉方向」とは、開閉体が開口部や空間を開閉するためにスライドする方向を意味する。
【００２０】
以下、本発明の実施の形態を図面に基づいて説明する。
この開閉装置は、閉鎖方向端部をスライドさせて開閉動作する開閉体１０と、該開閉体１０の幅方向（図１における左右方向）の端部を囲み開閉方向へ案内するガイドレール２０と、開閉体１０を巻き取ったり繰り出したりして開閉動作させる巻取装置３０とを備え、開閉体１０の閉鎖方向端部が全閉手前の所定範囲Ｈ内にある際の制御に特徴を有している。
【００２１】
開閉体１０は、横長略矩形状の金属板を曲げ加工してなる所謂スラット１１ａを、上下に隣接する該スラット１１ａ，１１ａ間で回動するように複数連接することで開閉体本体１１を構成し、該開閉体本体１１の閉鎖方向端部（図示例によれば下端部）に、可動座板１２を接続している。
【００２２】
可動座板１２は、開閉体幅方向の略全長にわたる部材であり、開閉体本体１１の下端部から下方へ突出している。この可動座板１２は、開閉体本体１１に相対して開閉体開閉方向（図１の上下方向）へ所定量だけ自在に移動する。
この可動座板１２を上下方向へ移動させる構造は、例えば、可動座板１２の上端部を、開閉体本体１１の下端部に対し、上下方向へ所定量スライドするように係合すればよい。
【００２３】
この可動座板１２と開閉体本体１１との間には、可動座板１２が開閉体本体１１に対し上方へ移動したことを接触又は非接触で感知するセンサ（図示しないマイクロスイッチ又は近接スイッチ等）が設けられる。
そして、可動座板１２及び前記センサは、開閉体１０の閉鎖方向端部が閉鎖方向側の物体に当接したことを感知する座板感知部として機能する。すなわち、開閉体１０の閉鎖方向端部への物体の当接等により、可動座板１２が開閉体本体１１に相対する開放方向へ移動すると、前記センサの接点がオンになる。また、前記物体が除去される等により可動座板１２が開閉体本体１１に相対する閉鎖方向へ移動すると、前記センサの接点がオフになる。
なお、この構成は、可動座板１２がその可動範囲を全ストローク移動すると前記センサの接点がオンになる態様としてもよいし、可動座板１２がその可動範囲を所定の割合移動すると前記センサの接点がオンになる態様としてもよい。
【００２４】
また、ガイドレール２０は、開閉体１０の幅方向の端部を囲む断面略コ字状の部材であり、開閉体１０によって着座される当接対象部位ｐ（例えば、床面や地面、枠部材等）と巻取装置３０との間にわたって配設されている。
【００２５】
また、巻取装置３０は、下部側に開閉体１０を出没させるための開口部を形成した収納ケース３１内に、開閉体１０を巻き取ったり繰出したりする巻取軸３２と、該巻取軸３２を駆動回転したり制動したりする開閉機４０と、開閉機４０の制御により開閉体１０を制御動作する制御部５０とを具備している。
【００２６】
開閉機４０は、開閉体１０を閉鎖動作する駆動源となる直流または交流の電動モータと、該電動モータの回転力を適切な回転数及びトルクに調整して巻取軸３２へ伝達する動力伝達機構（具体的には歯車等）と、該動力伝達機構の出力軸の回転量が所定値を超えた際に接点信号を出力するカウンター式リミットスイッチ４１とを具備している。
【００２７】
前記カウンター式リミットスイッチ４１は、前記出力軸の回転量を機械的にカウントするカウンター機構と、該カウンター機構のカウント値が所定値を超えた際に作動するマイクロスイッチとを組み合わせてなる周知の機構である。このカウンター式リミットスイッチ４１は、前記開閉体１０の閉鎖方向端部（より具体的には可動座板１２の下端）が全閉手前の所定範囲Ｈ（数センチ程度の範囲）にあることを感知する全閉手前位置感知部として機能する。
すなわち、開閉体１０の閉鎖方向端部が閉鎖動作により全閉手前の所定範囲Ｈ内に進入すると、カウンター式リミットスイッチ４１の接点がオンになる。また、開閉体１０の閉鎖方向端部が開放動作により全閉手前の所定範囲Ｈよりも開放方向側（図示例によれば上方側）に移動すると、同カウンター式リミットスイッチ４１の接点がオフになる。
【００２８】
また、制御部５０は、前記全閉手前位置感知部や、前記座板感知部、操作部５１などから入力される電気信号を、プログラムに基づいて電子的に演算処理し、その処理結果に応じた制御電力を開閉機４０へ供給して、開閉機４０を正転や逆転、停止等させる制御回路である。
この制御部５０は、回路構成や設定値等を現場状況等に応じて容易に変更可能なように、例えばマイコンやプログラマブルコントローラー等に用いられているプログラムドロジック回路による構成とするのが好ましいが、リレー回路やその他の電子回路を用いた回路とすることも可能である。
【００２９】
前記操作部５１は、開スイッチ５１a、停止スイッチ５１ｂ、閉スイッチ５１ｃの三つのスイッチを有するスイッチボックスであり、前記各スイッチの接点信号を制御部５０へ入力するように電気配線されている。
【００３０】
次に、上記構成の開閉装置についての制御動作の一例を、図２〜３に示すフローチャートに基づいて詳細に説明する。
【００３１】
図２のフローチャートは、開閉体１０が全閉手前の所定範囲Ｈよりも開放方向側で閉鎖動作している状態において開始される制御部５０の処理を示している。
【００３２】
ステップ１では、全閉手前位置感知部（カウンター式リミットスイッチ４１）による感知信号の入力を待ち、感知信号が入力された場合には次のステップ２へ処理を進める。
ステップ２では、閉動作カウント手段（タイマー）による所定値（所定時間）のカウントを開始する。
【００３３】
ここで、前記閉動作カウント手段は、例えば、制御部５０の制御回路上のタイマー機能、あるいは別途具備されるタイマーリレー等を用いればよい。
前記所定値（所定時間）は、開閉体１０の閉鎖方向端部が前記所定範囲Ｈに進入してから当接対象部位ｐに着座した全閉位置となるまでの閉鎖動作時間と略同等になるように設定される。
【００３４】
すなわち、前記ステップ１及び２によれば、閉鎖動作中の開閉体１０の閉鎖方向端部が、全閉手前の所定範囲Ｈに進入すると、前記閉動作カウント手段によるカウントが開始される。
【００３５】
ステップ３では、座板感知部（可動座板１２等）による感知信号があるのを待ち、感知信号があれば次のステップ４へ処理を進める。
【００３６】
ステップ４では、前記閉動作カウント手段がカウントアップしたか否かを判断し、カウントアップした場合にはステップ５以降の処理（第二の制御）を行い、そうでなければステップ５ａ以降の処理（第一の制御）を行う。
【００３７】
ステップ５では、押込み手段（タイマー）による所定の微小時間のカウントを開始する。
ここで、前記押込み手段は、制御部５０の制御回路上のタイマー機能、あるいは別途具備されるタイマーリレー等を用いればよい。
【００３８】
前記押込み手段は、開閉体１０の閉鎖方向端部が当接対象部位ｐに当接した後に、更に開閉機４０を閉鎖方向へ動作させるために用いられる。すなわち、開閉体１０の閉鎖方向端部が当接対象部位ｐに当接した場合でも、当接対象部位ｐである床面等の状態に起因して、可動座板１２と当接対象部位ｐとの間には開閉体幅方向において部分的な隙間を生じる場合がある。そのため、開閉体１０の閉鎖方向端部が当接対象部位ｐに当接した後も、開閉機４０による閉鎖方向への動作を、前記押込み手段により所定の微小時間継続して、開閉体１０の閉鎖方向端部を当接対象部位ｐに押し付けるようにしている。
【００３９】
したがって、前記所定の微小時間（押込み手段のカウントアップする時間）は、開閉体１０の閉鎖方向端部と当接対象部位ｐとの間に略隙間がなくなるまで、開閉体１０が当接対象部位ｐに押圧され、且つ開閉体１０が巻取軸３２に逆巻きされたり開閉体１０に過剰な圧縮力が加わったり等しないように、適宜に設定される。この時間は、本実施の形態の好ましい一例によれば約０．２秒に設定される。
【００４０】
ステップ６では、前記押込み手段がカウントアップするのを待ち、カウントアップしたならば次のステップ７へ処理を進める。
ステップ７では、開閉機４０の停止によって開閉体１０の閉鎖動作を停止する。この停止状態は、開閉体１０の閉鎖方向端部が当接対象部位ｐに当接した全閉停止状態とみなされる。
【００４１】
また、ステップ５ａでは、開閉機４０の閉鎖方向への動作を停止し、反転して、所定時間経過後に再度停止することで、開閉体１０を反転・停止する。この停止状態は、開閉体１０の閉鎖方向端部が障害物に当接して、開閉体１０が反転・停止（タッチアップ動作）したものとみなされる。
【００４２】
すなわち、全閉手前の所定範囲Ｈにて閉鎖動作中、座板感知部による感知信号があった際に閉動作カウント手段がカウントアップしていない場合には、開閉体１０の閉鎖方向端部が障害物に当接したものとみなし、第一の制御として開閉体１０を反転・停止する（ステップ５ａ）。
また、全閉手前の所定範囲Ｈにて閉鎖動作中、座板感知部による感知信号があった際に閉動作カウント手段がカウントアップしている場合には、開閉体１０の閉鎖方向端部が当接対象部位ｐに当接して開閉体１０が全閉したものとみなし、前記第一の制御とは異なる第二の制御として、開閉体１０の閉鎖動作（詳細には開閉機４０の閉鎖方向への動作）を微小時間継続した後に停止する（ステップ５〜７）。
【００４３】
よって、本実施の形態によれば、全閉手前の所定範囲Ｈにおいても、開閉体１０を障害物との当接によりタッチアップ動作させることができる上、全閉時にはタッチアップ動作することなく開閉体１０の閉鎖方向端部を当接対象部位ｐに押し付けた隙間のない状態で、開閉体１０を停止させることができる。
【００４４】
次に、図３に示す他の制御例について説明する。
制御部５０は、開閉体１０の閉鎖動作中、全閉手前位置感知部による感知信号の入力を待ち（ステップ１１）、感知信号の入力があることを条件に、閉動作カウント手段による所定時間のカウントを開始する（ステップ１２）。
【００４５】
その後、制御部５０は、閉動作カウント手段がカウントアップしたか否かを判断し、カウントアップした場合には、ステップ１４以降の処理（第二の制御）を行い、カウントアップしていない場合には、ステップ１４ａへ処理を移行する。
【００４６】
ステップ１４では、押込み手段による所定時間のカウントを開始する。
ステップ１５では、前記押込み手段がカウントアップするのを待ち、カウントアップしたならば次のステップ１６へ処理を進める。
ステップ１６では、開閉機４０の停止によって開閉体１０の閉鎖動作を停止する。この停止状態は、開閉体１０の閉鎖方向端部が当接対象部位ｐに当接して押し付けられた全閉停止状態とみなされる。
【００４７】
すなわち、図３に示す制御例では、開閉体１０の閉鎖方向端部が全閉手前の所定範囲Ｈに進入した後、座板感知部による感知信号がなく且つ閉動作カウント手段がカウントアップした場合には（換言すれば、座板感知部による感知信号がある前に閉動作カウント手段がカウントアップした場合には）、開閉体１０が略全閉したものとみなされて、前記ステップ１４〜１６（第二の制御）が行われる。
【００４８】
また、ステップ１４ａでは、座板感知部による感知信号があるか否かを判断し、感知信号がある場合には次のステップ１５ａ（第一の制御）を行い、そうでなければステップ１３へ処理を戻す。
【００４９】
ステップ１５ａでは、開閉機４０の閉鎖方向への動作を停止し、反転して、所定時間経過後に再度停止することで、開閉体１０を反転・停止する。この停止状態は、開閉体１０の閉鎖方向端部が障害物に当接して、開閉体１０が反転・停止（タッチアップ動作）したものとみなされる。
【００５０】
すなわち、前記ステップ１３，１４ａ，１５ａでは、制御部５０は、前記座板感知部による感知信号があり且つ前記閉動作カウント手段がカウントアップしていない場合に（換言すれば、前記閉動作カウント手段がカウントアップする前に前記座板感知部による感知信号がある場合に）、開閉体１０の閉鎖方向端部が障害物に当接したものとみなし、第一の制御として開閉体１０を反転・停止する。
【００５１】
よって、図３に示す制御例によれば、図２に示す制御例と同様に、開閉体１０が障害物に当接したのか、あるいは開閉体１０が全閉したのかを判別して、それぞれの場合に応じた適切な制御を行うことができる。
【００５２】
なお、本願発明は、開閉体１０の閉鎖方向端部が全閉手前の所定範囲Ｈよりも開放方向側にある場合の制御を限定するものではないが、一例として、開閉体１０の閉鎖方向端部が前記所定範囲Ｈよりも開放方向側にある場合には、開閉体１０の閉鎖動作中に座板感知部による感知信号があることを条件に、開閉体１０の閉鎖方向端部が障害物に当接したものとみなして、開閉体１０を停止・反転して所定時間だけ開放動作した後に停止する（すなわちタッチアップ動作を行う）。
【００５３】
また、上記座板感知部は、開閉体１０の閉鎖方向端部が物体に当接したことを感知可能な構成であれば上記実施の形態以外のものであってもよく、例えば、開閉体１０の閉鎖方向端部に下方からの押圧力によって感知信号を出力するセンサ（例えばテープスイッチ等）を設けた態様等としてもよい。
【００５４】
また、上記実施の形態では、前記閉動作カウント手段によるカウント時間を所定時間に設定したが、更に好ましい態様として、前記カウント時間を現場状況等に応じて増減できるようにしてもよい。
同様に、上記実施の形態では、前記押込み手段によるカウント時間を所定時間に設定したが、更に好ましい態様として、前記カウント時間を現場状況等に応じて増減できるようにしてもよい。例えば現場状況等により押込み動作が不要な場合には、前記カウント時間がゼロ(押込みタイマーを無効)に調整されるようにしてもよいし、あるいは、図２に示す制御例においてステップ５〜６を省いた態様や、図３に示す制御例においてステップ１４〜１５を省いた態様等とすることも可能である。
【００５５】
また、上記実施の形態によれば、閉動作カウント手段の一例として、タイマーを用いて所定時間のカウントをする構成としたが、この閉動作カウント手段の他例としては、開閉体１０の閉鎖動作による移動距離をカウントする構成としてもよい。この場合の閉動作カウント手段は、例えば、エンコーダ等によって、開閉機４０又は巻取装置３０の閉鎖方向の回転量を、前記移動距離としてカウントし、そのカウント値が所定距離に達した際にカウントアップして制御信号を出力する構成とすればよい。この場合、前記所定距離は、開閉体１０の閉鎖方向端部が所定範囲Ｈに進入してから全閉位置となるまでの閉鎖動作距離と略同等になるように設定すればよい。
【００５６】
また、上記実施の形態によれば、上記押込み手段をタイマーとしたが、この押込み手段の他例としては、開閉体１０の閉鎖動作による移動距離を、前記同様にエンコーダ等を用いてカウントし、そのカウント値が所定の微小距離に達した際にカウントアップして制御信号を出力する構成としてもよい。
この場合、前記所定の微小距離（押込み手段のカウントアップする距離）は、開閉体１０の閉鎖方向端部と当接対象部位ｐとの間に略隙間がなくなるまで、開閉体１０が当接対象部位ｐに押圧され、且つ開閉体１０が巻取軸３２に逆巻きされたり開閉体１０に過剰な圧縮力が加わったり等しないように、適宜に設定される。
【符号の説明】
【００５７】
１０：開閉体
１２：可動座板（座板感知部）
３０：巻取装置
４０：開閉機
４１：カウンター式リミットスイッチ（全閉手前位置感知部）
５０：制御部
【図１】
0005606196.tif 000002
【図２】
0005606196.tif 000003
【図３】
0005606196.tif 000004